(57)【要約】【課題】締結、締結解除の操作が容易で、被締結部材の耐久品質に優れた締結具、およびこれを備えた長尺体などの提供。【解決手段】本発明の締結具は、長尺体としてのバンド１１，１２の所定位置にそれぞれ取り付けられる第１部材３Ａと第２部材３Ｂとを備える。この締結具によれば、バンド１１，１２を長さ方向反対側に相対的にスライドさせるだけで、係合凸部３２２と係合凹部４１２とが係合してバンド１１，１２の装着が終了するので、バンド装着の都度、所望のバンド長さで、締結操作を簡単に行うことができる。また、プッシュボタン３２１を押すと係合凸部３２２が係合凹部４１２から外れ、バンド１１，１２の締結が解除される。このように、バンド１１，１２をスライドさせるだけで締結および締結解除の操作が可能であり、バンド１１，１２に部分的に負荷が掛からないため、バンド１１，１２の耐久品質を向上させることができる。【選択図】図１３
2008279244.tif 000002
【特許請求の範囲】
【請求項１】
２つの被締結部材にそれぞれ配設される第１部材と第２部材とを備え、前記被締結部材同士が相対的に反対側にスライドされた際に前記第１部材と前記第２部材とが係合することにより結合する締結具であって、
前記第１部材は、
前記一方の被締結部材における前記スライドされる方向と交差する方向の両側にそれぞれ設けられた側壁と、これらの側壁を連結する連結部とを有する第１取付部材と、
前記被締結部材のスライド方向と交差する方向における前記被締結部材の内側から外側へと付勢されるプッシュボタンを有し、前記第１取付部材との間に前記一方の被締結部材を挟持するボタンユニットと、を備え、
前記第２部材は、
前記他方の被締結部材における前記スライドされる方向と交差する方向の両側においてそれぞれ当該被締結部材の所定位置に取り付けられる側壁を有する第２取付部材を備え、
前記第１取付部材および前記ボタンユニットは、前記一方の被締結部材の所定位置に取り付けられ、
前記ボタンユニットは、前記プッシュボタンと連動しかつ前記被締結部材同士がスライドされた際に前記第２取付部材の側壁に係合する係合凸部を有し、
前記第２取付部材の側壁は、当該側壁の内側から前記係合凸部が挿入される係合凹部を有する
ことを特徴とする締結具。
【請求項２】
請求項１に記載の締結具において、
前記第２取付部材は、当該第２取付部材の側壁間に架設される連結部を有し、
前記一方の被締結部材は、前記被締結部材同士がスライドされる際、前記第２取付部材の前記連結部と前記他方の被締結部材との間に挿通される
ことを特徴とする締結具。
【請求項３】
請求項１に記載の締結具において、
前記一方の被締結部材は、当該被締結部材の装着対象に装着される際に前記ボタンユニットの前記装着対象側に配置され、
前記被締結部材同士は、前記一方の被締結部材の前記ボタンユニット側に前記第２取付部材を載せた状態でスライドされる
ことを特徴とする締結具。
【請求項４】
請求項１から３のいずれかに記載の締結具において、
前記第１部材の連結部、および前記ボタンユニットの一方は、他方に向かって突出する突起を有し、
前記突起は、前記一方の被締結部材に形成された孔に挿入される
ことを特徴とする締結具。
【請求項５】
請求項１から４のいずれかに記載の締結具において、
前記第１取付部材の前記側壁には、開口部が形成され、
前記プッシュボタンが前記開口部を貫通することにより、前記第１取付部材と前記ボタンユニットとが一体に組み付けられている
ことを特徴とする締結具。
【請求項６】
請求項１から５のいずれかに記載の締結具において、
前記第１取付部材は、側壁が連結部の両端部からそれぞれ起立した断面略コ字形状とされ、
前記第１取付部材の前記側壁には、前記開口部である第１開口部と連続するように前記連結部側とは反対側から第２開口部が切欠形成され、
前記被締結部材のスライド方向において、前記第２開口部の寸法は、前記第１開口部の寸法よりも小さく、
前記プッシュボタンが押されていない状態で当該プッシュボタンの前記第１開口部から突出する部分には、前記第２開口部に挿入可能な括れ部が形成されている
ことを特徴とする締結具。
【請求項７】
請求項１から４のいずれかに記載の締結具において、
前記第１取付部材と前記ボタンユニットとは、前記被締結部材のスライド方向と交差する方向に沿った軸部を介して相対的に回動可能に連結され、
前記ボタンユニットは、前記被締結部材のスライド方向と交差する方向における前記被締結部材の内側から外側へと付勢され前記第１取付部材の前記側壁に係合する回動ロックボタンと、前記プッシュボタン、前記係合凸部、および前記回動ロックボタンを保持するボタンユニット枠とを有し、
前記第２取付部材の側壁は、当該側壁の内側から前記回動ロックボタンが挿入される回動ロック凹部を有し、
前記回動ロックボタンは、前記プッシュボタンを押す方向において前記プッシュボタンまたは前記係合凸部に隙間を介して対向し、
前記係合凸部が前記係合凹部に係脱する際における前記プッシュボタンの前記ボタンユニット枠に対する移動距離をＡ、前記回動ロックボタンが前記回動ロック凹部に係脱する際における前記プッシュボタンの前記ボタンユニット枠に対する移動距離をＢとすると、少なくとも前記隙間の寸法分、ＡはＢよりも小さい
ことを特徴とする締結具。
【請求項８】
請求項７に記載の締結具において、
前記第１取付部材および前記ボタンユニットの互いの近接側への回動方向における前記回動ロックボタンの前記第１取付部材側の端部と、前記回動方向における前記第１取付部材の側壁の前記ボタンユニット側の端部との少なくとも一方は、前記第１取付部材および前記ボタンユニットの回動により前記回動ロックボタンと前記第１取付部材の側壁とが当接した際に前記第１取付部材の側壁の内側に向かって分力が作用する方向に傾斜する斜面とされている
ことを特徴とする締結具。
【請求項９】
請求項１から８のいずれかに記載の締結具において、
前記係合凸部における前記被締結部材のスライド方向で前記第２部材側の端部、および、前記第２取付部材の側壁における前記被締結部材のスライド方向で前記第１部材側の端部の少なくとも一方は、前記被締結部材同士のスライドにより前記係合凸部と前記第２取付部材の側壁とが当接した際に前記第１取付部材の側壁の内側に向かって分力が作用する方向に傾斜する斜面とされている
ことを特徴とする締結具。
【請求項１０】
請求項１から９のいずれかに記載の締結具において、
前記第２部材は、筒体に挿入された棒状部材がばねにより出没自在とされたばね棒を有し、
前記第２取付部材の側壁は、前記ばね棒によって前記他方の被締結部材に取り付けられている
ことを特徴とする締結具。
【請求項１１】
請求項１から１０のいずれかに記載の締結具において、
前記プッシュボタンと前記係合凸部とは、板状の一体の部材の一部としてそれぞれ形成され、
前記プッシュボタンと前記係合凸部との間には、前記第１取付部材の側壁の一部と前記第２取付部材の側壁の一部とを収容する切欠が形成されている
ことを特徴とする締結具。
【請求項１２】
請求項１から１１のいずれかに記載の締結具を備えた
ことを特徴とする長尺体。
【請求項１３】
請求項１２に記載の長尺体を備えた
ことを特徴とする携帯機器。
【請求項１４】
請求項１２に記載の長尺体を備え、
前記長尺体は、時計の外装ケースに連結されている
ことを特徴とする時計。
【請求項１５】
請求項１４に記載の時計において、
前記長尺体は、時計バンドである
ことを特徴とする時計。
【請求項１６】
請求項１２に記載の長尺体を備え、この長尺体により装着される
ことを特徴とする装身具。
【発明の詳細な説明】
【技術分野】
【０００１】
本発明は、バンド等の被締結部材を締結する締結具に関する。また、この締結具を備えた長尺体や、この長尺体を備えた携帯機器、時計、および装身具などに関する。
【背景技術】
【０００２】
従来、時計バンドの開放端同士を締結するタイプの中留として、例えばつく棒（突棒）が突設されバンドに回動自在に設けられるフレームと、ばね力でつく棒を係止するプッシュ中留部材とを備えたものが知られている（特許文献１）。
このような中留のつく棒は、フレームから立ち上がる小径部と、小径部から膨出した大径部とを有する。そして、中留を留める際には、つく棒をバンドの孔に挿通し、バンドの孔から突出したつく棒の大径部をプッシュ中留部材の穴に係合させる。
【０００３】
【特許文献１】特開平１０−２８６０５号公報
【発明の開示】
【発明が解決しようとする課題】
【０００４】
しかしながら、特許文献１のような中留には、次のような課題がある。
（１）腕への着脱の都度、バンドの孔につく棒を抜き挿ししなくてはならず、バンドの孔からつく棒を抜く際に、つく棒の大径部がバンド裏面側でバンド孔の周縁に引っ掛かるので、バンド孔の近傍が傷みやすい。具体的に、バンドで装着された時計の携帯時にはバンドの剛性によって引張力が作用するため、つく棒の軸とバンド孔の中心とがずれてつく棒の小径部がバンド孔の内周面に当接し、バンド孔の周縁に大径部が引っ掛かった状態からつく棒を抜くため、バンド孔の近傍が傷みやすい。
このように、バンド孔の位置でつく棒とプッシュ中留部材とを係合させる構成では、着脱時にバンドの一部分のみに負荷が掛かるため、バンドの耐久性が低い。
【０００５】
（２）つく棒をバンド孔に挿入する際に、つく棒とバンド孔との位置の見当を付けづらいため、装着操作が困難である。すなわち、バンドの開放端同士を締結する場合はバンドとバンドとの位置決めが必要であり、一方のバンドに設けられたつく棒と他方のバンドの孔との位置を合わせなくてはならないが、つく棒がフレームの裏側に隠れて見えづらい。
なお、特許文献１とは反対側の位置につく棒が設けられた構成、例えば腕に当接するプレート部材などにつく棒が突設され、このプレートにバンドを被せるようにしてバンド孔につく棒を挿通させる構成の場合なども、バンドの裏側につく棒が隠れるため、つく棒とバンド孔との位置を合わせづらいという事情は変わらず、装着操作が困難である。
また、バンドには複数の孔が形成されており、腕への着脱の都度、所定の孔につく棒を挿通できるとは限らないため、締結時のバンドの長さが所望の長さとならない場合がある。
【０００６】
そこで、本発明の目的は、締結操作および締結解除の操作が容易で、かつバンド等の被締結部材の耐久品質に優れた締結具、この締結具を備えた長尺体、およびこの長尺体を備えた携帯機器、時計、並びに装身具を提供することにある。
【課題を解決するための手段】
【０００７】
本発明の締結具は、２つの被締結部材にそれぞれ配設される第１部材と第２部材とを備え、前記被締結部材同士が相対的に反対側にスライドされた際に前記第１部材と前記第２部材とが係合することにより結合する締結具であって、前記第１部材は、前記一方の被締結部材における前記スライドされる方向と交差する方向の両側にそれぞれ設けられた側壁と、これらの側壁を連結する連結部とを有する第１取付部材と、前記被締結部材のスライド方向と交差する方向における前記被締結部材の内側から外側へと付勢されるプッシュボタンを有し、前記第１取付部材との間に前記一方の被締結部材を挟持するボタンユニットと、を備え、前記第２部材は、前記他方の被締結部材における前記スライドされる方向と交差する方向の両側においてそれぞれ当該被締結部材の所定位置に取り付けられる側壁を有する第２取付部材を備え、前記第１取付部材および前記ボタンユニットは、前記一方の被締結部材の所定位置に取り付けられ、前記ボタンユニットは、前記プッシュボタンと連動しかつ前記被締結部材同士がスライドされた際に前記第２取付部材の側壁に係合する係合凸部を有し、前記第２取付部材の側壁は、当該側壁の内側から前記係合凸部が挿入される係合凹部を有することを特徴とする。
【０００８】
以下では、便宜上、被締結部材のことをバンドと称するが、本発明における被締結部材はバンドに限らない。すなわち、本発明の締結具は、被締結部材同士がスライドされた際に第１部材と第２部材とが係合する構造に特徴を有しており、被締結部材の形状等は、スライド可能である限り、任意に構成できる。また、以下では、便宜上、被締結部材のスライド方向をバンドの長さ方向、被締結部材のスライド方向と交差する方向をバンドの幅方向、ということがある。
なお、被締結部材は、部材の部分であってもよい。
【０００９】
本発明において、第１取付部材およびボタンユニットを有する第１部材は、適宜な手段によって一方のバンド（被締結部材）の所定位置に取り付けられている。このような手段としては例えば、これらの第１取付部材およびボタンユニットの一方に、他方との間にバンドを押圧保持する突起やくさびなどであってよい。
また、第２取付部材を有する第２部材は、適宜な手段によって他方のバンド（被締結部材）の所定位置に取り付けられる。例えば、他方のバンドの幅方向（バンドのスライド方向と交差する方向）に沿って設けられた棒状部材の両端部をそれぞれ第２取付部材の側壁に係合させることにより、第２取付部材が他方のバンドの所定位置に取り付けられる。
【００１０】
このように本発明では、各バンドの所定位置に第１部材と第２部材とがそれぞれ取り付けられており、第１部材が取り付けられたバンドと第２部材が取り付けられたバンドとを相対的に反対側にスライドさせて第１部材と第２部材とを近接させることにより、係合凸部と係合凹部とが係合し、締結が終了する。
すなわち、第１部材および第２部材によってバンド同士の締結位置が規定されているので、締結時のバンド同士の位置決めは不要であり、バンドのスライド操作だけで第１部材と第２部材とがスライド方向に沿って近接して互いに係合するので、バンド装着の都度、所望のバンド長さで、バンドの締結操作を簡単に行うことができる。
一方、プッシュボタンを押すことにより、係合凸部がバンド幅方向内側に引っ込んで係合凹部から外れ、バンド同士を離間する方向にスライド可能となるので、バンドの締結を解除する操作も簡単に行うことができる。
【００１１】
加えて、本発明では、バンドをスライドさせるだけで締結、締結解除の操作が可能であり、バンドを着脱する都度、バンドの孔につく棒が挿通される従来例のようにバンドに部分的に負荷が掛からないため、バンドの耐久品質を向上させることができる。
【００１２】
本発明の締結具では、前記第２取付部材は、当該第２取付部材の側壁間に架設される連結部を有し、前記一方の被締結部材は、前記被締結部材同士がスライドされる際、前記第２取付部材の前記連結部と前記他方の被締結部材との間に挿通されることが好ましい。
【００１３】
この発明によれば、第１取付部材とボタンユニットとの間に介装された一方のバンドの端部を、第２取付部材の連結部と他方のバンドとの間に挿通してスライドさせ、係合凸部と係合凹部とを係合させることが可能となる。ここで、第２取付部材の連結部がガイド部材となって、この連結部をくぐらせた一方のバンドを引っ張ることで係合凸部と係合凹部とが係合するため、片手で簡単にバンドの締結操作を行うことができる。
【００１４】
本発明の締結具では、前記一方の被締結部材は、当該被締結部材の装着対象に装着される際に前記ボタンユニットの前記装着対象側に配置され、前記被締結部材同士は、前記一方の被締結部材の前記ボタンユニット側に前記第２取付部材を載せた状態でスライドされることが好ましい。
【００１５】
この発明によれば、一方のバンドに第２取付部材を載せ、第１取付部材と第２取付部材とを例えば親指と人差し指とでつまんで近付けることにより、バンド同士が反対側にスライドして係合凸部と係合凹部とが係合する。これにより、片手で簡単にバンドの締結操作を行うことができる。
なお、バンドの装着対象は、例えば腕であり、バンドの厚み方向において、装着対象側から、第１取付部材、一方のバンド、ボタンユニットの順に配置される。
【００１６】
本発明の締結具では、前記第１部材の連結部、および前記ボタンユニットの一方は、他方に向かって突出する突起を有し、前記突起は、前記一方の被締結部材に形成された孔に挿入されることが好ましい。
【００１７】
この発明によれば、突起がバンドの孔に挿入されることにより、第１取付部材およびボタンユニットに対するバンドの平面位置が決まるので、第１取付部材およびボタンユニットをバンドの所定位置に確実に取り付けることが可能となる。
なお、突起の径は一定とされていてよい。
【００１８】
本発明の締結具では、前記第１取付部材の前記側壁には、開口部が形成され、前記プッシュボタンが前記開口部を貫通することにより、前記第１取付部材と前記ボタンユニットとが一体に組み付けられていることが好ましい。
【００１９】
ここで、一方のバンドに第１部材を取り付ける際は、第１取付部材とボタンユニットとの間に当該バンドを挟み、プッシュボタンを第１取付部材の側壁の内側（バンドの幅方向内側）に押し込んだ状態でボタンユニットを第１取付部材の側壁間に配置し、側壁の開口部から第１取付部材の側壁の外側（バンドの幅方向外側）にプッシュボタンを突出させる。
本発明によれば、第１取付部材の側壁に開口部を形成することにより、第１取付部材とボタンユニットとを簡易な構成で一体に組み付けることが可能となる。
【００２０】
本発明の締結具では、前記第１取付部材は、側壁が連結部の両端部からそれぞれ起立した断面略コ字形状とされ、前記第１取付部材の前記側壁には、前記開口部である第１開口部と連続するように前記連結部側とは反対側から第２開口部が切欠形成され、前記被締結部材のスライド方向において、前記第２開口部の寸法は、前記第１開口部の寸法よりも小さく、前記プッシュボタンが押されていない状態で当該プッシュボタンの前記第１開口部から突出する部分には、前記第２開口部に挿入可能な括れ部が形成されていることが好ましい。
【００２１】
この発明によれば、第１取付部材およびボタンユニットを一方のバンドに取り付ける際、プッシュボタンを押して括れ部を第２開口部に挿入した状態とし、そのままプッシュボタンを第１開口部側に押すことでプッシュボタンを第１開口部から突出させることができる。
また、第１取付部材およびボタンユニットをバンドから取り外す際も、プッシュボタンを押して括れ部と第２開口部との位置を合わせ、第２開口部を通じてプッシュボタンを第１取付部材から外すことが可能となる。
すなわち、プッシュボタン全体を側壁の内側に押し込んだ状態としなくても、第１取付部材とボタンユニットとを容易に係合させたり、外したりすることができるので、第１取付部材およびボタンユニットの一方のバンドへの取付を容易化できる。
【００２２】
本発明の締結具では、前記第１取付部材と前記ボタンユニットとは、前記被締結部材のスライド方向と交差する方向に沿った軸部を介して相対的に回動可能に連結され、前記ボタンユニットは、前記被締結部材のスライド方向と交差する方向における前記被締結部材の内側から外側へと付勢され前記第１取付部材の前記側壁に係合する回動ロックボタンと、前記プッシュボタン、前記係合凸部、および前記回動ロックボタンを保持するボタンユニット枠とを有し、前記第２取付部材の側壁は、当該側壁の内側から前記回動ロックボタンが挿入される回動ロック凹部を有し、前記回動ロックボタンは、前記プッシュボタンを押す方向において前記プッシュボタンまたは前記係合凸部に隙間を介して対向し、前記係合凸部が前記係合凹部に係脱する際における前記プッシュボタンの前記ボタンユニット枠に対する移動距離をＡ、前記回動ロックボタンが前記回動ロック凹部に係脱する際における前記プッシュボタンの前記ボタンユニット枠に対する移動距離をＢとすると、少なくとも前記隙間の寸法分、ＡはＢよりも小さいことが好ましい。
【００２３】
この発明では、第１取付部材とボタンユニットとを相対的に回動させて回動ロックボタンと回動ロック凹部とを係合させることにより、第１取付部材とボタンユニットとが一体に組み付けられる。また、係合凸部を係合凹部から外す際のプッシュボタンの押し込み量以上にプッシュボタンを押し込んで回動ロックボタンと回動ロック凹部とを離間させることにより、第１取付部材とボタンユニットとを回動させて第１取付部材とボタンユニットとの間のバンドを長さ方向に移動させることが可能となる。
【００２４】
このような本発明によれば、第１取付部材とボタンユニットとが回動可能に連結されているため、第１取付部材とボタンユニットとが分離することなくバンドの長さを調整することができる。すなわち、バンドの長さ調整時に第１取付部材とボタンユニットとがバラバラにならないので、取扱性が向上する。
また、第１取付部材とボタンユニットとが軸部を介して連結されていることにより、第１取付部材とボタンユニットとの組み付けを回動操作によって容易に行うことができる。以上のような構成により、バンドの長さ調整が容易となる。
【００２５】
ここで、回動ロックボタンは、プッシュボタンまたは係合凸部に対して、距離Ａと距離Ｂとの前記関係を成立させる隙間を介して配置されている。これにより、バンド同士を締結する際に係合凸部が第２部材の側壁の内側に移動しても、回動ロックボタンが回動ロック凹部から外れない。また、バンドの締結を解除する際にプッシュボタンが押され、このプッシュボタンに連動して係合凸部が第２部材の側壁の内側に移動しても、回動ロックボタンが回動ロック凹部から外れない。すなわち、バンドの締結、締結解除の操作時に第１取付部材とボタンユニットとが分解されない。
【００２６】
本発明の締結具では、前記第１取付部材および前記ボタンユニットの互いの近接側への回動方向における前記回動ロックボタンの前記第１取付部材側の端部と、前記回動方向における前記第１取付部材の側壁の前記ボタンユニット側の端部との少なくとも一方は、前記第１取付部材および前記ボタンユニットの回動により前記回動ロックボタンと前記第１取付部材の側壁とが当接した際に前記第１取付部材の側壁の内側に向かって分力が作用する方向に傾斜する斜面とされていることが好ましい。
【００２７】
ここで、前記斜面は、傾斜角度が一定の直線的なテーパ形状とされていてもよいし、傾斜角度が一定でない曲面形状（Ｒ形状）とされていてもよい。
この発明によれば、第１取付部材とボタンユニットとの相対回動時に回動ロックボタンが第１取付部材の側壁に当接した際に、前記斜面を介した分力により、回動ロックボタンがバンド幅方向内側に引っ込んだ後、回動ロック凹部に案内される。これにより、第１取付部材とボタンユニットとの組み付け操作を円滑に行うことができる。
【００２８】
本発明の締結具では、前記係合凸部における前記被締結部材のスライド方向で前記第２部材側の端部、および、前記第２取付部材の側壁における前記被締結部材のスライド方向で前記第１部材側の端部の少なくとも一方は、前記被締結部材同士のスライドにより前記係合凸部と前記第２取付部材の側壁とが当接した際に前記第１取付部材の側壁の内側に向かって分力が作用する方向に傾斜する斜面とされていることが好ましい。
【００２９】
ここで、前記斜面は、傾斜角度が一定の直線的なテーパ形状とされていてもよいし、傾斜角度が一定でない曲面形状（Ｒ形状）とされていてもよい。
この発明によれば、バンドのスライド時に係合凸部が第２取付部材の側壁に当接した際に、前記斜面を介した分力により、係合凸部がバンド幅方向内側に引っ込んだ後、係合凹部に案内されるので、スライド操作を円滑に行うことができる。
【００３０】
本発明の締結具では、前記第２部材は、筒体に挿入された棒状部材がばねにより出没自在とされたばね棒を有し、前記第２取付部材の側壁は、前記ばね棒によって前記他方の被締結部材に取り付けられていることが好ましい。
【００３１】
この発明によれば、第２取付部材がばね棒によってバンドに着脱自在に取り付けられるので、バンド交換が容易となる。
【００３２】
本発明の締結具では、前記プッシュボタンと前記係合凸部とは、板状の一体の部材の一部としてそれぞれ形成され、前記プッシュボタンと前記係合凸部との間には、前記第１取付部材の側壁の一部と前記第２取付部材の側壁の一部とを収容する切欠が形成されていることが好ましい。
【００３３】
この発明によれば、板状部材に切欠を形成し、この切欠の両側をプッシュボタンと係合凸部として構成することにより、係合凸部がプッシュボタンに連動し、かつ第１取付部材の開口部にプッシュボタンが挿入された状態で係合凸部が第２取付部材の係合凹部に挿入される構成を簡略に形成できる。
【００３４】
本発明の長尺体は、前述の締結具を備えたことを特徴とする。
この発明によれば、前述した締結具を備えるため、前述と同様の作用および効果を享受できる。
【００３５】
本発明の携帯機器は、前述の長尺体を備えたことを特徴とする。
この発明によれば、前述した締結具を有する長尺体を備えるため、前述と同様の作用および効果を享受できる。
ここで、携帯機器としては、情報機器、通信機器、メモリカード、カメラ、計測機器などを例示できる。
【００３６】
本発明の時計は、前述の長尺体を備え、前記長尺体は、時計の外装ケースに連結されていることを特徴とする。
この発明によれば、前述した締結具を有する長尺体を備えるため、前述と同様の作用および効果を享受できる。
ここで、前記長尺体は、時計バンドであることが好ましい。
なお、時計バンドの材質等は問わず、時計バンドは、革製バンド、布製バンド、樹脂製バンド、金属製バンド等であってよい。
【００３７】
本発明の装身具は、前述の長尺体を備え、この長尺体により装着されることを特徴とする。
この発明によれば、前述した締結具を有する長尺体を備えるため、前述と同様の作用および効果を享受できる。
【発明の効果】
【００３８】
以上の本発明によれば、簡単な操作で締結および締結解除の操作を行うことができ、かつバンド等の被締結部材に部分的に負荷が掛からないため被締結部材の耐久性を大きく向上させることができる。
【発明を実施するための最良の形態】
【００３９】
以下、図面を参照して本発明の各実施形態について説明する。
なお、第２実施形態以降の説明において、以下に説明する第１実施形態と同様の構成については、同一符号を付して、説明を省略もしくは簡略化する。
【００４０】
［第１実施形態］
本発明の第１実施形態を説明する。
〔１．全体構成〕
図１は、第１実施形態に係る腕時計１の側面図である。この時計１は、図示しない時計体と、時計体を収納する外装ケース２と、このケース２の６時側と１２時側とにそれぞれ連結される革製の時計バンド１１，１２とを備え、バンド１１とバンド１２とは、締結具としての中留３によって締結されている。
【００４１】
〔２．中留の構成〕
図２は、中留３の斜視図である。中留３は、締結時のバンド長さ調整用の複数の係合孔１１１が形成された６時側バンド１１に取り付けられる第１部材３Ａと、１２時側バンド１２に取り付けられる第２部材３Ｂとを備え、これらの第１、第２部材３Ａ，３Ｂが互いに係合されることにより、バンド１１，１２が締結されている。図２は、第１部材３Ａと第２部材３Ｂとが係合しバンド１１，１２が締結された状態を示し、図３は、第１部材３Ａと第２部材３Ｂとの係合が解除された状態を示す。
【００４２】
本実施形態では、６時側バンド１１および１２時側バンド１２のいずれも、帯状の長尺体であるが、本実施形態の中留３で締結可能な時計バンドは、このような帯状体に限らず、適宜な長尺体であってよい。
ここで、長尺体とは、幅寸法よりも長さ寸法が上回っており長さ方向を有する部材をいい、長尺体には、帯状体や板状体などが含まれる。
なお、中留３で締結可能な時計バンドは、長尺体に限らず、例えば、時計の外装ケースに連結されるブロック状の連結部と、この連結部から外装ケースとは反対側に延出する延出部とを備え、延出部に中留の部材が配設されるものなどであってもよい。
また、６時側バンドと１２時側バンドとは必ずしも同様の形状に構成されていなくてもよい。すなわち、その一方が長尺体とされ、他方が長尺体でない任意の形状とされていてもよい。
【００４３】
〔３．第１部材の構成〕
図３に示すように、第１部材３Ａは、６時側バンド１１の幅方向に沿って設けられる第１取付部材２０と、この第１取付部材２０との間に６時側バンド１１を挟み、かつプッシュボタン３２１を有するボタンユニット３０とを備えている。
〔３−１．第１取付部材の構成〕
図４は、第１取付部材２０を示す。第１取付部材２０は、バンド１１（図３）の幅方向両側でバンド１１の厚み方向にほぼ沿ってそれぞれ起立する側壁２１，２１と、これらの側壁２１，２１を連結する連結部２２とを有して断面略コ字状に形成されている。
側壁２１，２１にはそれぞれ、略矩形状の開口部２１１が貫通形成されている。
【００４４】
〔３−２．ボタンユニットの構成〕
図５は、ボタンユニット３０を示す。また、図６は、ボタンユニット３０の内部を示し、図７は、ボタンユニット３０の一部断面側面図である。なお、図６では、ボタンユニット３０のボタンユニット枠３１を破断している。
図５、図６に示すように、ボタンユニット３０は、図４の第１取付部材２０の側壁２１，２１間に配置されるボタンユニット枠３１と、ボタンユニット枠３１の両端の開口からそれぞれ突出するボタン部材３２，３２と、ボタンユニット枠３１の底面に固定されボタンユニット枠３１の上面から突出する突起３３とを有して構成されている。
ボタンユニット枠３１は、図５に示すように、金属薄板を用いた曲げ加工により断面略長方形状に形成され、その薄板端部の突き合わせ部には、突起３３を通す孔３１１が形成されている。
また、図６、図７に示すように、ボタンユニット枠３１の底面の一部が切り起こされることにより、各ボタン部材３２をそれぞれ係止するストッパ３１２が形成されている。
【００４５】
各ボタン部材３２は、図６に示すように、プッシュボタン３２１と係合凸部３２２とを切欠３２３を挟んで一体に有する板状の部材とされている。これらのボタン部材３２，３２は、圧縮コイルばね３２４，３２４によってボタンユニット枠３１の両端の開口の内側から外側に向かって付勢されており、各ボタン部材３２にそれぞれ形成された貫通孔３２５に前記ストッパ３１２が挿入されることにより、当該ボタン部材３２，３２はボタンユニット枠３１に係止されている。
コイルばね３２４，３２４はそれぞれ、ボタンユニット枠３１の両側面部側で、ボタン部材３２，３２のそれぞれに形成された切欠３２６，３２６の間に配置されている。
【００４６】
プッシュボタン３２１は、平面矩形状に形成され、第１取付部材２０（図４）の側壁２１に形成された開口部２１１の内側から外側に突出する。このプッシュボタン３２１は、開口部２１１の高さよりも若干小さい厚さで、かつ開口部２１１の幅よりも若干小さい幅で形成されている。
ここで、ストッパ３１２が挿入される前記貫通孔３２５の寸法は、両側のプッシュボタン３２１，３２１をバンド１１（図３）の幅方向内側に押し込んだ際に、側壁２１，２１の内面間の寸法よりもプッシュボタン３２１，３２１の先端間の寸法が小さくなり開口部２１１から各プッシュボタン３２１が外れるプッシュボタン３２１の最大押し込み量を実現する寸法で形成されている。
なお、プッシュボタン３２１をコイルばね３２４のばね力に抗して押していない状態では、コイルばね３２４のばね力により、ストッパ３１２が貫通孔３２５の内壁に当接していることが好ましい。これにより、プッシュボタン３２１の遊びをなくすことができる。
【００４７】
係合凸部３２２は、第１取付部材２０（図４）の側壁２１と重ならない位置でコイルばね３２４による付勢方向に沿って突出している。この係合凸部３２２におけるボタンユニット枠３１の側面側の部分は、バンド１１（図３）の長さ方向と幅方向との両方に対して斜めに形成されたＲ形状の斜面３２２Ａとされている。一方、係合凸部３２２の切欠３２３側の立ち上がり部３２２Ｂは、バンド１１の長さ方向に対して略直角に形成されている。
【００４８】
突起３３は、バンド１１（図３）の係合孔１１１の径と略同径の円柱形状とされ、ボタンユニット枠３１の底面にかしめ固定されている。なお、かしめ固定に限らず、突起３３は、例えばレーザ溶接などによってボタンユニット枠３１の底面に固定されていてもよい。この突起３３は、ボタンユニット枠３１の上面から突出しており、バンド１１に形成された複数の係合孔１１１の１つに挿入されるが、その高さはバンド１１の厚みと同じである必要はない。
【００４９】
〔３−３．第１部材のバンドへの取付〕
図８、図９は、第１取付部材２０およびボタンユニット３０の６時側バンド１１への取付態様を示す。このバンド１１の表面側には第１取付部材２０が配置され、腕に接触する側であるバンド１１の裏面側にはボタンユニット３０が配置され、これら第１取付部材２０とボタンユニット３０との間にバンド１１が介装される。なお、第１取付部材２０とボタンユニット３０とは、締結時のバンドの長さに応じて選択された所定の係合孔１１１の位置でバンド１１に取り付けられる。
【００５０】
この第１取付部材２０およびボタンユニット３０をバンド１１に取り付ける際は、図８に示すように所定の係合孔１１１に突起３３を挿入し、両方のプッシュボタン３２１，３２１をバンド１１の幅方向内側に押し込んだ状態で側壁２１，２１間にボタンユニット３０を配置し、図９のように、側壁２１の開口部２１１からプッシュボタン３２１を突出させる。
ここで、バンド１１は第１取付部材２０とボタンユニット３０との間に挟まれており、第１取付部材２０とボタンユニット３０との間で突起３３が係合孔１１１に挿入されているため、突起３３は係合孔１１１から抜け出ず、第１取付部材２０およびボタンユニット３０に対するバンド１１の平面位置が決まる。すなわち、第１取付部材２０およびボタンユニット３０がバンド１１の所定位置に固定されることになる。
【００５１】
なお、第１取付部材２０およびボタンユニット３０のバンド１１への取付位置を調整する際には、プッシュボタン３２１，３２１を側壁２１，２１の内側に押し込んで開口部２１１から外す。そして、突起３３をバンド１１に形成された他の係合孔１１１に挿入してから、プッシュボタン３２１，３２１を押し込んで開口部２１１から突出させればよい。
【００５２】
〔４．第２部材の構成〕
次に、１２時側バンド１２（図３）に取り付けられる第２部材３Ｂの構成を説明する。
図１０は、第２部材３Ｂの分解斜視図である。第２部材３Ｂは、１２時側バンド１２に取り付けられる断面略コ字状の第２取付部材４０と、ばね棒５０とを有して構成されている。
ばね棒５０は、バンド１２の端部の革が巻かれて形成された孔１２１に挿通される筒体５１と、筒体５１の両端部にそれぞれ挿入され筒体５１内部のばねによって筒体５１の端部から出没自在とされた棒状部材５２，５２とを有している。
【００５３】
第２取付部材４０は、バンド１２の幅方向両側でバンド１２の厚み方向にほぼ沿ってそれぞれ起立する側壁４１，４１と、これらの側壁４１，４１間にバンド１２の表面側で架設される連結部４２とを有して断面略コ字状に形成されている。なお、連結部４２の中央部も、第１取付部材８０の連結部２２と同様に上方に膨らむ凸曲面状に形成されている。
各側壁４１には、ばね棒５０の棒状部材５２が係止される孔４１１と、前述のボタンユニット３０（図９）の係合凸部３２２が挿入される係合凹部４１２とが形成されている。
図１１は、第２取付部材４０をばね棒５０によってバンド１２に取り付けた状態を示す。第２取付部材４０をバンド１２に取り付ける際は、バンド１２の孔１２１にばね棒５０を通し、棒状部材５２，５２を筒体５１の内部に没入させた状態でばね棒５０の両端側に第２取付部材４０の側壁４１，４１を配置し、各棒状部材５２をそれぞれ側壁４１の孔４１１に係止させる。
【００５４】
〔５．中留によるバンドの締結操作〕
次に、図１２〜図１４を参照し、中留３でバンド１１，１２を締結し、時計１を腕（装着対象）に装着する操作について説明する。
図１２は、本実施形態に係る時計１の側面図であり、図１３は、６時側バンド１１を長さ方向（矢印方向）に沿ってスライドさせる状態を示す。これらの図１２、図１３に示すように、６時側バンド１１の端部を第２取付部材４０の連結部４２と１２時側バンド１２との間に挿通し、この６時側バンド１１の端部を引っ張ると、６時側バンド１１と１２時側バンド１２とが相対的に長さ方向反対側にスライドされる。この際、第２取付部材４０の連結部４２がガイドとなり、６時側バンド１１が第２取付部材４０の側壁４１，４１間でバンド１１の長手方向に沿って案内される。
【００５５】
このように６時側バンド１１を１２時側バンド１２に対してスライドさせていくと、第１部材３Ａと第２部材３Ｂとが近接し、図１４に示すように、ボタンユニット３０の係合凸部３２２が第２取付部材４０の側壁４１の係合凹部４１２に側壁４１の内側から係合し、バンド１１，１２は締結される。
ここで、６時側バンド１１のスライド操作により、係合凸部３２２の斜面３２２Ａが側壁４１に当たりバンド１１の長さ方向に作用する力の分力によって、係合凸部３２２がバンド１１の幅方向内側に引っ込むので、当該係合凸部３２２は側壁４１の係合凹部４１２に円滑に案内される。こうして係合凸部３２２が側壁４１の内側から係合凹部４１２に挿入されることで、バンド１１，１２が締結される。
このようにバンド１１，１２が締結された状態では、プッシュボタン３２１と係合凸部３２２との間の切欠３２３に第１取付部材２０の側壁２１の一部と、第２取付部材４０の側壁４１の一部とが収容されている。すなわち、切欠３２３の幅は、バンド１１，１２の長さ方向における開口部２１１の端縁から側壁２１の端縁までの寸法と、同じくバンド１１，１２の長さ方向における係合凹部４１２の端縁から側壁２１の端縁までの寸法との和よりも若干大きくなっている。
また、係合凸部３２２の立ち上がり部３２２Ｂがバンド１１の長さ方向に対して略直角とされているので、バンド１１，１２の長さ方向に引っ張り力が作用しても、係合凸部３２２が係合凹部４１２から外れにくい。
【００５６】
バンド１１，１２の締結を解除する際は、両方のプッシュボタン３２１，３２１をバンド１１の幅方向内側に向かって押し、バンド１１，１２を緩む方向にスライドさせる。プッシュボタン３２１，３２１の押圧操作に連動して係合凸部３２２，３２２がバンド１１の幅方向内側にそれぞれ引っ込み、係合凹部４１２から外れるため、第１部材３Ａと第２部材３Ｂとが離間する側にバンド１１，１２をスライドさせることが可能となる。なお、バンド１１、１２の剛性による引張り力が作用するため、プッシュボタン３２１、３２１を押すだけでバンド１１、１２を意図的に大きくスライドさせなくても、バンド１１、１２を取り外すことができる。
【００５７】
〔６．本実施形態の効果〕
以上説明した本実施形態によれば、次のような効果を奏する。
（１）時計バンド１１，１２の中留３は、バンド１１，１２の所定位置にそれぞれ取り付けられる第１部材３Ａと第２部材３Ｂとを備え、バンド１１，１２を締める方向にスライドさせるだけで、係合凸部３２２が係合凹部４１２に係合してバンド１１，１２の装着が終了するので、バンド装着の都度、所望のバンド長さで、バンド１１，１２の締結操作を簡単に行うことができる。
また、プッシュボタン３２１，３２１を押してバンド１１，１２を離間する方向にスライドさせることにより、バンド１１，１２の締結を解除する操作も簡単に行うことができる。
そのうえ、バンド１１，１２をスライドさせるだけで、締結および締結解除の操作が可能であり、バンド１１，１２に部分的に負荷が掛からないため、バンド１１，１２の耐久品質を向上させることができる。
【００５８】
（２）第１取付部材２０とボタンユニット３０との間に６時側バンド１１が介装され、第１取付部材２０とボタンユニット３０との間で突起３３がバンド１１の係合孔１１１に挿入されることにより、第１取付部材およびボタンユニットをバンドの所定位置に確実に取り付けることが可能となる。
【００５９】
（３）係合凸部３２２に斜面３２２Ａが形成され、この斜面３２２Ａを介した分力により、係合凸部３２２が係合凹部４１２に円滑に挿入されるので、バンド１１のスライド操作をより容易に行うことができる。
【００６０】
（４）第２部材３Ｂは、第２取付部材４０とばね棒５０とに分解できるので、バンド１２を容易に交換することができる。
【００６１】
（５）第２取付部材４０は連結部４２を有し、この連結部４２をくぐらせたバンド１１を引っ張ることでバンド１１，１２が反対側にスライドして締まるので、片手で簡単にバンド１１，１２の締結操作を行うことができる。
【００６２】
［第１実施形態の変形例］
ここで、上述の第１実施形態の変形例について、図１５〜図１７を参照して説明する。
図１５は、６時側バンド１１（図９）に取り付けられる本変形例の第１部材を示し、図９の第１部材３Ａを図１５の第１部材に置換することが可能である。
本変形例では、図１６に示すように、第１取付部材２０の側壁２１の第１開口部２１１に連続して第２開口部２１２が形成されている。この第２開口部２１２は、側壁２１の連結部２２側とは反対側から切欠形成されており、バンド１１の長さ方向における第２開口部２１２の寸法は、同じくバンド１１の長さ方向における第１開口部２１１の寸法よりも小さくなっている。
【００６３】
また、本変形例では、図１７に示すように、各プッシュボタン３５１の第１開口部２１１（図１６）からそれぞれ突出する部分において、バンド１１の長さ方向両端側に一対の切欠３５１Ａ，３５１Ａが形成されることにより、括れ部３５１Ｂが形成されている。ここで、各切欠３５１Ａの幅（バンド１１の幅方向における寸法）は、第１取付部材２０の側壁２１の厚さより若干大きく、各切欠３５１Ａの深さ（バンド１１の長さ方向における寸法）は、バンド１１の長さ方向における第１開口部２１１の寸法と第２開口部２１２の寸法との差の１／２よりも若干大きくなっている。
【００６４】
本変形例では、第１取付部材２０およびボタンユニット３０をバンド１１に取り付ける際は、切欠３５１Ａ，３５１Ａと第２開口部２１２との位置が合うまで各プッシュボタン３５１を押して括れ部３５１Ｂが第２開口部２１２に挿入された状態とし、そのまま各プッシュボタン３５１を第１開口部２１１側に押す。ここで、各プッシュボタン３５１に対する押込み力を解除することにより、各プッシュボタン３５１がそれぞれ第１開口部２１１から突出する。
また、第１取付部材２０およびボタンユニット３０をバンド１１から取り外す際は、各プッシュボタン３５１を押して切欠３５１Ａ，３５１Ａと第２開口部２１２との位置を合わせ、第２開口部２１２を通じてプッシュボタン３５１を第１開口部２１１から外す。
【００６５】
以上の本変形例によれば、プッシュボタン３５１，３５１を最大限押し込んでプッシュボタン３５１，３５１の全体を側壁２１の内側に押し込んだ状態としなくても、第１取付部材２０とボタンユニット３０とを容易に係合させたり、外したりすることができる。このため、例えば店頭での購入時のバンドのサイズ合わせや購入後のユーザ自身によるバンドのサイズ合わせを容易に行うことができる。
【００６６】
［第２実施形態］
次に、本発明の第２実施形態について図１８〜図２５を参照して説明する。第１実施形態（図２、図３）では、１２時側バンド１２が下側（腕側）に、６時側バンド１１が１２時側バンド１２の上側にそれぞれ配置された状態でバンド１１，１２が締結されていたが、本実施形態では、第１実施形態とは逆に、６時側バンド１１が下側（腕側）に、１２時側バンド１２が上側にそれぞれ配置された状態でバンド１１，１２が締結される。
【００６７】
図１８は、本実施形態の中留６を示し、中留６は、第１部材６Ａと、第１実施形態と同様の第２部材３Ｂとを備えている。
図１９は、第１部材６Ａと第２部材３Ｂとが外れた状態を示す。また、図２０は、第１部材６Ａを示す。
第１部材６Ａは、６時側バンド１１の幅方向に沿って設けられる第１取付部材６０と、この第１取付部材６０との間に６時側バンド１１を挟むボタンユニット７０とを有して構成されている。
【００６８】
図２１は、第１取付部材６０を示す。第１取付部材６０は、バンド１１の幅方向両側に設けられる側壁２１，２１と、バンド１１の表面側で側壁２１，２１を連結する連結部２２と、バンド１１の裏面側で側壁２１，２１のそれぞれからバンド１１の幅方向内側に延びる延出部２３，２３とを有して断面略長方形状に形成されている。
図２２は、ボタンユニット７０を示す。ボタンユニット７０は、第１実施形態のボタンユニット３０（図５）と同様に、ボタンユニット枠３１、ボタン部材３２、および突起３３を有するが、ボタンユニット枠３１は、第１実施形態のボタンユニット３０とは上下逆向きに、突起３３が設けられた底面が上面となるように配置されており、ボタンユニット枠３１に設けられた突起３３は下側（腕側）に突出している。
【００６９】
図２３、図２４は、第１取付部材６０およびボタンユニット７０がバンド１１に取り付けられる態様を示す。
図２３に示すように、ボタンユニット７０の突起３３をバンド１１の係合孔１１１の１つに挿入するとともに、プッシュボタン３２１，３２１をバンド１１の幅方向内側に押し込んだ状態とし、これらのボタンユニット７０およびバンド１１を第１取付部材６０の内部に挿通する。これにより、図２４のように、プッシュボタン３２１が第１取付部材６０の開口部２１１から突出し、第１取付部材６０の延出部２３，２３（図２１）とボタンユニット枠３１との間にバンド１１が介装された状態となる。
【００７０】
図２５を参照して、バンド１１，１２を締結する操作を説明する。本実施形態では、６時側バンド１１の表面に第２取付部材４０を載せ、例えば第１取付部材６０の連結部２２に親指を掛け、第２取付部材４０の連結部４２に人差指を掛けることにより、第１取付部材６０と第２取付部材４０とを近接させる。これにより、バンド１１，１２が長さ方向反対側にスライドされ、ボタンユニット７０の係合凸部３２２が第２取付部材４０の係合凹部４１２に挿入されることによってバンド１１，１２は締結される（図１８）。この際、
係合凸部３２２には斜面３２２Ａが形成されているため、第１実施形態と同様、係合凸部３２２は側壁４１と干渉することなく係合凹部４１２に円滑に挿入される。
一方、バンド１１，１２の締結を解除する際には、第１実施形態と同様に、プッシュボタン３２１，３２１をバンド１１の幅方向内側に押して係合凸部３２２を係合凹部４１２から外すことにより、ほとんどスライドさせることなく自重により、バンド１１、１２を離間させることができる。
【００７１】
本実施形態によれば、第１実施形態で述べた（１）〜（４）の効果に加えて、次の効果を奏する。
（６）第１取付部材６０および第２取付部材４０はそれぞれ、バンド１１，１２の幅方向に沿って設けられる連結部２２，４２を有し、バンド１１の表面に第２取付部材４０を載せた状態でバンド１１，１２をスライドさせる構成のため、連結部２２，４２を引き寄せるスライド操作が可能となる。これにより、片手で簡単にバンド１１，１２の締結操作を行うことができる。
【００７２】
［第３実施形態］
次に、本発明の第３実施形態について図２６〜図３２を参照して説明する。本実施形態は、バンド長さの調整の容易化を図ったものであり、特に、第１取付部材とボタンユニットとが回動可能に連結された第１部材の構成に特徴を有する。
図２６は、本実施形態の中留８の斜視図であり、中留８は、第１部材８Ａと、第２部材８Ｂとを備えている。図２７は、第１部材８Ａと第２部材８Ｂとが外れた状態を示す。また、図２８は、第１部材８Ａおよび第２部材８Ｂの側面図である。
【００７３】
図２８に示すように、第１部材８Ａは、第１取付部材８０と、ボタンユニット９０と、これらの第１取付部材８０およびボタンユニット９０を回動可能に連結するばね棒９０１と、第１取付部材８０およびボタンユニット９０の間に設けられてバンド１１を押さえる押さえ部材９０２とを有している。図２８は、ばね棒９０１を回動軸として、第１取付部材８０とボタンユニット９０とを互いに離間する側に回動させた状態を示す。
【００７４】
第１取付部材８０は、図２７に示すように、バンド１１の幅方向両側に設けられる側壁８１，８１と、バンド１１の表面側で側壁８１，８１を連結する連結部２２とを有して断面略コ字状に形成されている。なお、連結部２２は、その中央部が上方に膨らむ凸曲面状に形成されており、幅方向両端部にステッチが施されたバンドの断面形状に沿う。また、この凸曲面状の連結部２２により、第１取付部材８０全体が薄型の外観を示す。
側壁８１には、図２７、図２８に示すように、ばね棒９０１が挿通される軸孔８１１と、プッシュボタン３２１を挿通可能な切欠８１２と、回動ロック凹部としての回動ロック凹部８１３と、第２部材８Ｂ側にバンド１１の長さ方向に沿って突出する突出部８１４とが形成されている。突出部８１４の下面には、バンドの長さ方向と側壁８１の高さ方向との両方に対して斜め方向となる斜面８１４Ａが形成されている。
【００７５】
図２９は、第１部材８Ａおよび第２部材８Ｂの水平断面図である。図３０は、図２９におけるＡ−Ａ線矢視図である。なお、図２９は、第１取付部材８０およびボタンユニット９０が図２７のように一体に取り付けられた状態を示す。
ボタンユニット９０は、図２８、図２９に示すように、第１取付部材８０の側壁８１，８１間に配置されるボタンユニット枠９１と、ボタン部材９２，９２と、プッシュボタン３２１および係合凸部３２２の間に配置された回動ロックボタンとしての回動ロックボタン９４，９４と、ボタンユニット枠９１の底面に固定された突起３３（図２８参照）とを有している。
【００７６】
ボタンユニット枠９１は、図２７、図２８に示すように、金属薄板を用いた曲げ加工により形成され、ばね棒９０１の周りに巻かれた巻回部９１１，９１１と、断面略矩形状のボタン保持部９１２と、ボタン保持部９１２のバンド長さ方向に沿った両方の端縁から腕側に段落ちし、バンド長さ方向に沿って延びた案内部９１３，９１３（図３０参照）とを有している。本実施形態の案内部９１３の長さは、バンド長さ方向におけるボタンユニット枠９１の寸法とほぼ同じとなっている。
ボタン保持部９１２の上面の端縁部の一部には、図２８、図２９に示すように底面側に折り曲げられたストッパ９１２Ａが形成され、このストッパ９１２Ａによってボタン部材９２および回動ロックボタン９４がボタンユニット枠９１に係止されている。なお、ボタン部材９２および回動ロックボタン９４のそれぞれの凹凸の一部がストッパ９１２Ａの裏側に隠れることにより、ストッパ９１２Ａはボタンユニット９０の外観に寄与する。
【００７７】
ボタン部材９２は、図２９に示すように、段付き形状の切欠９２３の両側にプッシュボタン３２１と係合凸部３２２とを一体に有する板状の部材とされている。
【００７８】
回動ロックボタン９４は、切欠９２３の形状に倣った形状の平板状の部材であり、圧縮コイルばね９５によってボタンユニット枠９１の開口の内側から外側に向かって付勢されている。この回動ロックボタン９４は、切欠９２３内に配置されることにより、ボタンユニット枠９１に係止されている。回動ロックボタン９４の先端部は第１取付部材８０の回動ロック凹部８１３に係合する。すなわち、第１取付部材８０とボタンユニット９０とは、回動ロック凹部８１３に回動ロックボタン９４が係合することによって一体に組み付けられている。
回動ロックボタン９４の先端部には、図３０に示すように、第１取付部材８０の側壁８１の高さ方向とバンド１１（図２７）の幅方向との両方に対して斜め方向となる斜面９４１が形成されている。
【００７９】
ここで、切欠９２３内において回動ロックボタン９４とボタン部材９２との間には、バンドの幅方向における所定寸法の隙間Ｓが形成されている。ここで、隙間Ｓの寸法は、係合凸部３２２が第２取付部材１００の係合凹部４１２に係脱する際におけるボタンユニット枠９１に対するボタン部材９２の移動距離をＡ、回動ロックボタン９４が第１取付部材８０の回動ロック凹部８１３に係脱する際におけるボタンユニット枠９１に対するボタン部材９２の移動距離をＢとすると、少なくとも隙間Ｓの寸法分、ＡはＢよりも小さくなるように決められている。本実施形態の隙間Ｓの寸法は、移動距離をＡと略同じ寸法に決められている。
【００８０】
なお、ボタン部材９２がコイルばね３２４のばね力に抗して押されていない状態では、コイルばね３２４のばね力により、係合凸部３２２はストッパ９１２Ａに当接していることが好ましい。また、回動ロックボタン９４がコイルばね９５のばね力に抗して押されていない状態では、コイルばね９５のばね力により、回動ロックボタン９４はストッパ９１２Ａに当接していることが好ましい。これらにより、ボタン部材９２および回動ロックボタン９４の遊びをなくすことができる。
【００８１】
図３１は、第１部材８Ａを回動軸側から見た側面図である。押さえ部材９０２は、バンド１１（図２７）とボタンユニット９０との間に介装される本体９０２Ａと、ボタンユニット枠９１の巻回部９１１，９１１の間に配置さればね棒９０１の周りに巻かれた巻回部９０２Ｂとを有している。この押さえ部材９０２におけるバンドの幅方向両側の端部は上方に曲げられており、バンド１１を幅方向両側で押さえてバンド１１の厚み方向および幅方向への移動を規制する。この押さえ部材９０２により、第１取付部材８０の側壁８１，８１間の寸法よりも狭い幅のバンドを使用した際に生じやすいガタを防止できる。
【００８２】
バンドの長さ調整に際しての第１部材８Ａの操作について説明する。図２６のように組み付けた状態の第１取付部材８０とボタンユニット９０との間からバンド１１を取り外す際には、プッシュボタン３２１（図２９）をボタンユニット枠９１の内側に押し込んで回動ロック凹部８１３と回動ロックボタン９４との係合を解除する。このとき、プッシュボタン３２１を隙間Ｓの寸法を超える押し込み量で押し込むことにより、ボタン部材９２と回動ロックボタン９４とが当接してプッシュボタン３２１の押し込み操作に回動ロックボタン９４が連動するようになる。回動ロックボタン９４と回動ロック凹部８１３との係合が解除されるまでのプッシュボタン３２１の押し込み量は、前記各実施形態においてプッシュボタン３２１を側壁２１の内側に完全に押し込んで開口部２１１（図８等）から外す際のプッシュボタン３２１の押し込み量よりも小さい。
回動ロックボタン９４が回動ロック凹部８１３から外れたら、図２８のように、第１取付部材８０とボタンユニット９０とを相対的に回動させ、突起３３が挿通されるバンド１１の係合孔１１１を変更する。ここで、第１取付部材８０とボタンユニット９０とはばね棒９０１により連結されているため、前記各実施形態とは違ってバンド１１の取り外しの際に第１取付部材８０とボタンユニット９０とが分離しない。
【００８３】
バンド１１の所望の係合孔１１１に突起３３が挿通されたら、第１取付部材８０とボタンユニット９０とを互いの近接方向に回動させる。この際、図３０に示す回動ロックボタン９４の斜面９４１に第１取付部材８０の側壁８１の下端８１５が当たり、この際の分力によって回動ロックボタン９４がボタンユニット枠９１の内側に一旦移動したのち、コイルばね９５（図２９）のばね力によって元の位置に復帰し、回動ロックボタン９４の先端部が回動ロック凹部８１３に挿入される。このとき、クリック感が得られ確実にロックできたことを認識できるので、取扱性が良好となる。
【００８４】
次に、本実施形態の第２部材８Ｂの特徴について説明する。第２部材８Ｂは、図２７〜図２９に示すように、第２取付部材１００と、ばね棒５０と、ばね棒５５とを有している。本実施形態の第２部材８Ｂは、第２取付部材１００が有する連結部１０２の位置と、１２時側バンド１２を第２取付部材１００に取り付けるためのばね棒５０とは別のばね棒５５を有する点とが前記各実施形態とは相違する。これらの点を除いて、第２部材８Ｂは前記各実施形態の第２部材３Ｂと略同様に形成されている。
【００８５】
第２取付部材１００は、図２８、図２９に示すように、バンド１２の幅方向両側にそれぞれ設けられる側壁１０１，１０１と、これら側壁１０１，１０１に架設される連結部１０２とを有して断面略コ字状に形成されている。
側壁１０１には、図２８に示すように、ばね棒５０の端部が係止される孔４１１と、ばね棒５５の端部が係止される孔１０１Ａと、ボタンユニット９０の係合凸部３２２が挿入される係合凹部４１２と、第１部材８Ａ側からバンドの長さ方向に沿って窪む凹部１０１Ｂとが形成されている。凹部１０１Ｂの内周の一部には、第１取付部材８０の突出部８１４の斜面８１４Ａと同じ方向の斜面１０１Ｃが形成されている。
【００８６】
ばね棒５５は、図２９に示すように側壁１０１，１０１間に配置されたパイプ５５０に挿通されており、バンド１２の幅方向端縁位置においてばね棒５０と平行に設けられている。このばね棒５５がバンド１２の端縁を押さえることにより、第２取付部材１００がばね棒５０を中心とする任意の回動角度に保持される。このため、バンド締結時に６時側バンド１１を連結部１０２にくぐらせ易い。
【００８７】
第２取付部材１００の連結部１０２の端縁部１０２Ａは、図２８に示すように、バンド１２の長さ方向でばね棒５０の位置に対して第１部材８Ａとは反対側に位置している。
なお、本実施形態の端縁部１０２Ａはバンドの幅方向に沿って直線的に形成されており、端縁部１０２Ａの全体がばね棒５０の位置に対して第１部材８Ａとは反対側に位置しているが、これに限らず、端縁部１０２Ａの一部のみ、例えばバンド幅方向の両端部のみがばね棒５０の位置に対して第１部材８Ａとは反対側に位置していてもよい。
【００８８】
本実施形態の中留８によるバンド１１，１２の締結操作は、第１実施形態の中留３による締結操作と略同様である。但し、図３２に示すように、６時側バンド１１を連結部１０２にくぐらせてその先端側を１２時側バンド１２に対して斜め上方側に移動させた際に、６時側バンド１１がばね棒５０に対して第１部材８Ａ側とは反対側の位置（位置Ｐ）で連結部１０２の端縁部１０２Ａに当接する。この際の分力は図３２の反時計回り方向（回転矢印方向）に働くため、連結部１０２にバンド１１をくぐらせ易い。仮に、連結部１０２の端縁部１０２Ａがばね棒５０の位置よりも第１部材８Ａ側の位置Ｑにあり、位置Ｑでバンド１１が連結部１０２に当接するとすれば、第２取付部材１００が回転矢印方向に回動してバンド１１のスライドを妨げてしまう。本実施形態では、連結部１０２の端縁部１０２Ａにバンド１１が引っ掛かることなく、連結部１０２によりガイドした状態でバンド１１を安定的にスライドさせることができる。
【００８９】
また、図３２の状態からバンド１１，１２をさらにスライドさせると、第２取付部材１００の凹部１０１Ｂの斜面１０１Ｃと第１取付部材８０の突出部８１４の斜面８１４Ａとが当接する。この際の分力によって第２取付部材１００がボタンユニット９０の底面側に向かって押圧され、側壁１０１の下端がボタンユニット９０の案内部９１３に当接する。このような突出部８１４および凹部１０１Ｂ、そして案内部９１３により、第１取付部材８０と第２取付部材１００とのバンド厚み方向の相対位置が決まるので、係合凸部３２２と係合凹部４１２とを確実に係合させることが可能となる。
【００９０】
ここで、係合凸部３２２が係合凹部４１２に係合する際、係合凸部３２２が一旦側壁８１の内側に移動するが、前述したようにボタン部材９２と回動ロックボタン９４との間には隙間Ｓ（図２９）が設けられているため、回動ロックボタン９４が移動しない。このため、第１取付部材８０とボタンユニット９０とが外れてしまうことはない。
また、バンド１１，１２の締結解除時にプッシュボタン３２１を押しても、隙間Ｓの間隔が詰められるだけで回動ロックボタン９４は移動しないので、やはり、第１取付部材８０とボタンユニット９０とが外れてしまうことはない。
なお、図２８に示すように、ボタンユニット枠９１におけるプッシュボタン３２１の下方の位置に案内部９１３が形成されているため、プッシュボタン３２１が不用意に押されてバンド１１，１２の締結が解除されてしまうことを防止できる。
【００９１】
以上の本実施形態によれば、前記各実施形態で述べた効果と同様の効果に加えて、主に、次のような効果が得られる。
（７）第１取付部材８０とボタンユニット９０とがばね棒９０１により回動可能に連結されているため、第１取付部材８０とボタンユニット９０とが分離することなくバンド１１の長さを調整することができる。これにより、バンドの長さ調整がより一層容易となる。
また、第１取付部材８０とボタンユニット９０とがばね棒９０１により連結されていることにより、第１取付部材８０とボタンユニット９０との組み付けを回動操作によって容易に行うことができる。
なお、ボタン部材９２と回動ロックボタン９４との間に隙間Ｓが形成されていることにより、係合凸部３２２が第２取付部材１００の係合凹部４１２に係脱する際に回動ロックボタン９４が回動ロック凹部から外れず、バンド同士の締結、締結解除の操作時に第１取付部材８０とボタンユニット９０とのロック状態を維持できる。
【００９２】
（８）バンド１１の長さ位置を調整する際のプッシュボタン３２１の押し込み量が前記各実施形態におけるプッシュボタン３２１の押し込み量よりも小さくて済むため、この点でも、バンドの長さ調整がより一層容易となる。
【００９３】
（９）回動ロックボタン９４に斜面９４１が形成されているため、第１取付部材８０とボタンユニット９０との組み付け操作を円滑に行うことができる。
【００９４】
〔第３実施形態の変形例〕
図３３は、第３実施形態の変形例に係る第１部材８Ａ´を示す。この第１部材８Ａ´は、第３実施形態における案内部９１３（図２８）よりもバンド長さ方向の寸法が短い案内部１０３を有している。案内部１０３は、ボタンユニット枠９１において係合凸部３２２が設けられた側の部分に形成されている。本変形例では、案内部１０３がプッシュボタン３２１の下方には形成されていないことにより、第３実施形態に比べてプッシュボタン３２１を押し易い。
【００９５】
［本発明の変形例］
本発明は、以上説明した実施形態に限定されず、各種の改良および変形が可能である。
図３４は、第１実施形態の変形例を示す。本変形例では、第１取付部材２０の側壁２１´および連結部２２´がバンド１１の長さ方向に沿って第２取付部材４０側に突出形成されるとともに、これら側壁２１´および連結部２２´の突出方向とは逆に、第２取付部材４０の側壁４１´がバンド１２の長さ方向に沿って第１取付部材２０側に突出形成されている。これらの点を除いて、本変形例の中留は第１実施形態の中留３（図２）と略同様に形成されている。
本変形例では、締結時にバンド１１，１２をスライドさせた際に係合凸部３２２が第２取付部材４０の側壁４１´に当接するよりも前に、側壁２１´が当該側壁４１´に当接し、側壁２１´の突出部分と側壁４１´の突出部分とがバンド１１，１２の長さ方向に沿って当接することでバンド１１，１２の厚み方向における第１取付部材２０と第２取付部材４０との相対位置が決まる。このため、係合凸部３２２と係合凹部４１２とを一層容易に係合させることができる。
【００９６】
また、第２実施形態の第１取付部材６０（図２１）は断面略長方形状に形成されていたが、この第２実施形態における第１取付部材は、側壁４１，４１と、これらの側壁４１，４１を腕側（下側）で連結する連結部とを有して断面略コ字状に形成されていてもよい。このように断面略コ字状に形成された第１取付部材には、第１実施形態の変形例（図１５）として示した構成を適用することができる。すなわち、第１取付部材の側壁の連結部とは反対側に、第１開口部と連続する第２開口部が切欠形成されるとともに、この第２開口部に挿入可能な括れ部がプッシュボタンに形成されていてもよい。
【００９７】
さらに、前記各実施形態において、バンド１１の係合孔１１１に挿入される突起３３はボタンユニットに設けられていたが、これに限らず、第１取付部材の連結部にこのような突起が形成されていてもよい。
本発明において、バンド等の被締結部材に孔が形成されていることと、この孔に挿入される突起を第１取付部材またはボタンユニットが有していることは必須構成ではないが、このように突起が孔に挿入される構成とすることにより、第１取付部材およびボタンユニットを一方の被締結部材に容易にかつ確実に固定することができる。
【００９８】
前記各実施形態では、係合凸部３２２に斜面３２２Ａが形成されていたが、このような斜面が形成されるのは、第２取付部材の側壁の端部であってもよい。すなわち、バンドをスライドさせる際に係合凸部と対向する側の側壁の端部に、斜面３２２Ａと同様の傾きの斜面が形成されていてもよい。なお、係合凸部と、第２取付部材の側壁との両方に斜面が形成されていてもよい。
また、第３実施形態の回動ロックボタン９４の斜面９４１に関しても、この斜面９４１と同様の向きの斜面が第１取付部材８０の側壁８１の上端部に形成されていてもよい。あるいは、回動ロックボタン９４と第１取付部材８０の側壁８１の上端部との両方に斜面が形成されていてもよい。
【００９９】
なお、前記各実施形態では、ボタンユニット枠３１の底面から立ち上がるストッパ３１２や、ボタンユニット枠９１の端縁部の一部を曲げたストッパ９１２Ａによってボタン部材をボタンユニット枠に係止していたが、このようなストッパ３１２やストッパ９１２Ａの代わりに、例えば、ボタンユニット枠からボタン部材の貫通孔に突出するように設けられたねじなどによって、ボタン部材をボタンユニット枠に係止してもよい。
【０１００】
第３実施形態で示したような第１取付部材８０とボタンユニット９０とが回動可能に連結された構成は、例示を省略するが、第２実施形態のようにボタンユニット７０と第１取付部材６０の延出部２３との間にバンド１１が挟持される構成にも適用可能である。
また、第３実施形態では、第１取付部材８０とボタンユニット９０との回動軸は、第１部材８Ａのバンド長さ方向における第２部材８Ｂ側とは反対側の位置に設けられていたが、これに限らず、第１部材８Ａのバンド長さ方向における第２部材８Ｂ側の位置に設けられていてもよい。このような構成の場合、回動軸よりも第２部材８Ｂ側の位置に係合凸部を設ければよい。
なお、第１取付部材８０とボタンユニット９０とを回動可能に連結する軸部としては、ばね棒に限らず、適宜な構成を採用できる。
【０１０１】
本発明の締結具は、スライド可能な被締結部材同士を締結する各種用途に利用できる。前記各実施形態のバンド１１，１２はケース２にそれぞれ設けられた別部材であったが、これに限らず、バンド１１，１２は繋がった一つの部材であってもよい。
【０１０２】
また、前記各実施形態では、時計バンドに適用された締結具としての中留を示したが、本発明の締結具は各種の装身具にも適用できる。
ここで、装身具としては、腰や腕などに巻くベルトやバンド、首に巻くチョーカー、衣服の留め具などが挙げられる。このほか、本発明の締結具は、鞄、袋物、履物などの各種物品にも適用できる。
【０１０３】
さらに、本発明の締結具は２つの被締結部材同士を締結するが、複数の締結具を使用することによって３つ以上の被締結部材を締結することが可能となる。例えば、円弧状などの３つ以上の部品でブレスレットタイプの時計バンドが構成される場合などは、隣合う部品と部品とを本発明の締結具で締結することが可能となる。
【０１０４】
本発明を実施するための最良の構成、方法などは、以上の記載で開示されているが、本発明は、これに限定されるものではない。すなわち、本発明は、主に特定の実施形態に関して特に図示され、かつ、説明されているが、本発明の技術的思想および目的の範囲から逸脱することなく、以上述べた実施形態に対し、形状、材質、数量、その他の詳細な構成において、当業者が様々な変形を加えることができるものである。
したがって、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【図面の簡単な説明】
【０１０５】
【図１】本発明の第１実施形態に係る時計および時計バンドを示す側面図。
【図２】前記実施形態における時計バンドの中留を示す斜視図。
【図３】前記実施形態の中留が備える第１部材と第２部材とを外した状態を示す図。
【図４】前記第１部材が有する第１取付部材の斜視図。
【図５】前記第１部材が有するボタンユニットの斜視図。
【図６】前記ボタンユニットの内部を示す図。
【図７】前記ボタンユニットの一部断面側面図。
【図８】第１取付部材およびボタンユニットの６時側バンドへの取付態様を示す図。
【図９】第１取付部材およびボタンユニットが６時側バンドに取り付けられた状態を示す図。
【図１０】前記第２部材の分解斜視図。
【図１１】前記第２部材を１２時側バンドに取り付けた状態を示す図。
【図１２】前記実施形態の中留におけるバンドの締結操作を示す図。
【図１３】前記実施形態の中留におけるバンドの締結操作を示す図。
【図１４】前記実施形態の中留によってバンドが締結された状態を示す図。
【図１５】前記第１実施形態の変形例に係る第１部材を示す図。
【図１６】前記第１部材が有する第１取付部材を示す図。
【図１７】前記第１部材が有するボタンユニットを示す図。
【図１８】本発明の第２実施形態に係る時計バンドの中留を示す斜視図。
【図１９】前記実施形態の中留が備える第１部材と第２部材とを外した状態を示す図。
【図２０】前記第１部材の斜視図。
【図２１】前記第１部材が有する第１取付部材の斜視図。
【図２２】前記第１部材が有するボタンユニットの斜視図。
【図２３】第１取付部材およびボタンユニットの６時側バンドへの取付態様を示す図。
【図２４】第１取付部材およびボタンユニットが６時側バンドに取り付けられた状態を示す図。
【図２５】前記実施形態の中留におけるバンドの締結操作を示す図。
【図２６】本発明の第３実施形態に係る時計バンドの中留を示す斜視図。
【図２７】前記実施形態の中留が備える第１部材と第２部材とを外した状態を示す図。
【図２８】前記第１部材および前記第２部材を示す側面図。
【図２９】前記第１部材および前記第２部材の水平断面図。
【図３０】図２９のＡ−Ａ線矢視図。
【図３１】前記第１部材の側面図。
【図３２】前記実施形態の中留におけるバンドの締結操作を示す図。
【図３３】前記第３実施形態の変形例に係る第１部材を示す図。
【図３４】本発明の変形例を示す図。
【符号の説明】
【０１０６】
１・・・腕時計、３・・・中留（締結具）、３Ａ・・・第1部材、３Ｂ・・・第２部材、６・・・中留（締結具）、６Ａ・・・第1部材、８・・・中留（締結具）、８Ａ，８Ａ´・・・第１部材、８Ｂ・・・第２部材、１１・・・６時側バンド（一方の被締結部材）、１２・・・１２時側バンド（他方の被締結部材）、２０・・・第１取付部材、２１・・・側壁、２２・・・連結部、３０・・・ボタンユニット、３１・・・ボタンユニット枠、３２・・・ボタン部材、３３・・・突起、４０・・・第２取付部材、４１・・・側壁、４２・・・連結部、５０・・・ばね棒、５１・・・筒体、５２・・・棒状部材、５５・・・ばね棒、６０・・・第1取付部材、７０・・・ボタンユニット、８０・・・第１取付部材、８１・・・側壁、９０・・・ボタンユニット、９１・・・ボタンユニット枠、９４・・・回動ロックボタン、１００・・・第２取付部材、１０１・・・側壁、１０２・・・連結部、１０３・・・案内部、１１１・・・係合孔、２１１・・・開口部（第１開口部）、２１２・・・第２開口部、３２１・・・プッシュボタン、３２２・・・係合凸部、３２２Ａ・・・斜面、３２３・・・切欠、３５１・・・プッシュボタン、３５１Ｂ・・・括れ部、４１２・・・係合凹部、８１３・・・回動ロック凹部、９０１・・・ばね棒（軸部）、９０２・・・押さえ部材、９１３・・・案内部、９２３・・・切欠、９４１・・・斜面、Ｓ・・・隙間。
【図１】
2008279244.tif 000003
【図２】
2008279244.tif 000004
【図３】
2008279244.tif 000005
【図４】
2008279244.tif 000006
【図５】
2008279244.tif 000007
【図６】
2008279244.tif 000008
【図７】
2008279244.tif 000009
【図８】
2008279244.tif 000010
【図９】
2008279244.tif 000011
【図１０】
2008279244.tif 000012
【図１１】
2008279244.tif 000013
【図１２】
2008279244.tif 000014
【図１３】
2008279244.tif 000015
【図１４】
2008279244.tif 000016
【図１５】
2008279244.tif 000017
【図１６】
2008279244.tif 000018
【図１７】
2008279244.tif 000019
【図１８】
2008279244.tif 000020
【図１９】
2008279244.tif 000021
【図２０】
2008279244.tif 000022
【図２１】
2008279244.tif 000023
【図２２】
2008279244.tif 000024
【図２３】
2008279244.tif 000025
【図２４】
2008279244.tif 000026
【図２５】
2008279244.tif 000027
【図２６】
2008279244.tif 000028
【図２７】
2008279244.tif 000029
【図２８】
2008279244.tif 000030
【図２９】
2008279244.tif 000031
【図３０】
2008279244.tif 000032
【図３１】
2008279244.tif 000033
【図３２】
2008279244.tif 000034
【図３３】
2008279244.tif 000035
【図３４】
2008279244.tif 000036